(57)【特許請求の範囲】
【請求項１】
景品球払出装置から払出された景品球が流下する景品球排出樋に、その流下する景品球が衝突し得るように金属製の鈴を配設してなるパチンコ機において、
前記鈴の底面中央部に開孔を穿設し、他方、前記景品球排出樋の鈴取付面に前記鈴の開孔に嵌合する凸部を設けると共に、該凸部の両側に前記開孔の内周縁に接触し得る大きさに形成された小突起を設け、
前記開孔を前記凸部に嵌めた状態で前記鈴を回動して該開孔に前記小突起を嵌合させると、前記鈴が前記凸部の下面と前記小突起とによって支持されるようにしたことを特徴とするパチンコ機における鈴の取付構造。
【請求項２】
前記景品球排出樋の鈴取付面に所定高さを有する台座を形成し、前記台座に前記凸部及び前記小突起を設けことを特徴とする請求項１記載のパチンコ機における鈴の取付構造。
【請求項３】
前記小突起は、前記鈴の開孔の縁部が当接する垂直面を有し、該垂直面によって前記鈴が球の落下方向へ回動するのを阻止するようにしたことを特徴とする請求項１又は請求項２記載のパチンコ機における鈴の取付構造。
【発明の詳細な説明】
【０００１】
【産業上の利用分野】
本発明は、景品球払出装置から払出された景品球を衝突させてその音により景品球の払出しがあったことを遊技者に報知する鈴の取付構造に関するものである。
【０００２】
【従来の技術】
従来、この種の鈴の取付構造は、図１０に示すように鈴１００の底面中央部にねじ挿通孔１０１を穿設し、一方、景品球排出樋などの鈴取付面１０２に中心にねじ孔１０３を有する支持突起１０４を設け、ねじ１０５を鈴１００のねじ挿通孔１０１から支持突起１０４のねじ孔１０３に螺合して締着を施こすことにより、鈴１００を鈴取付面１０２に取付けるようにしていた。
【０００３】
【発明が解決しようとする課題】
ところで、この種の鈴は、景品球の衝突によって変形し易いため、短期間で取換える必要がある。しかし、従来の鈴の取付構造にあっては、鈴をねじによって取付けるようにしているため、その交換作業に手間が掛かるという問題点があった。
【０００４】
また、パチンコ機において、現状ではこの種の鈴の取付けを含む裏部品の組付けに際しては多数のねじ止め作業が必要とされており、コストダウンを図るために１本でもねじ止め作業を減らすことが重要な課題とされている。
【０００５】
本発明は、従来の技術の有するこのような問題点にかんがみてなされたものであり、その目的とするところは、鈴をねじ止めすることなく簡単に取付けることができるようなパチンコ機における鈴の取付構造を提供しようとするものである。
【０００６】
【課題を解決するための手段】
上記目的を達成するために、本発明は、景品球払出装置から払出された景品球が流下する景品球排出樋に、その流下する景品球が衝突し得るように金属製の鈴を配設してなるパチンコ機において、前記景品球排出樋の鈴取付面に嵌合凸部と小突起を設け、一方、前記鈴の底面中央部には嵌合凸部に嵌合し得る開孔を設け、該開孔を嵌合凸部に嵌めた状態で鈴を回動して開孔に小突起を嵌合させることにより該鈴を嵌合凸部の下面と小突起とによつて支持するようにしたものである。
【０００７】
そして、前記小突起には、鈴が景品球の落下方向に回動しないように鈴の開孔縁部が当接する垂直面を設けることが効果的である。
【０００８】
【作用】
鈴の取付けは、まず鈴の開孔を嵌合凸部に嵌め、次いでその開孔が小突起に嵌まるまで鈴を回動することによって達せられる。
【０００９】
【実施例】
以下、図面を参照して本発明の一実施例について説明する。図１は本発明が適用されるパチンコ機の裏面図である。図において、１はパチンコ機の前面枠、２は該前面枠１の裏面に着脱可能に装着された遊技盤、３は該遊技盤２の裏面に開閉自在に装着された機構板である。
【００１０】
機構板３の裏面の上部には景品球タンク４が固着されている。景品球タンク４の下方には、景品球を整列して景品球払出装置５へ導くためのタンクレール６が設けられている。景品球払出装置５の下方には、払出された景品球を前面枠１の前面の打球供給皿（図示せず）に導く景品球排出樋７と、打球供給皿に景品球が充満しているとき、該打球供給皿からの余剰景品球を球貯留皿（図示せず）にオーバーフローさせるオーバーフロー樋８が形成されている。そして、景品球排出樋７およびオーバーフロー樋８には、景品球が衝突し得るように金属製の鈴９および１０がそれぞれ配設されている。景品球排出樋７に配設される鈴９は、景品球払出装置５から払出された景品球が衝突して音を発生し、その音によつて景品球の払出しを遊技者に報知する。また、オーバーフロー樋８に配設される鈴１０は、打球供給皿からオーバーフローする景品球が衝突して音を発生し、その音によって景品球が球貯留皿にオーバーフローしていることを遊技者に報知するものである。
【００１１】
図２および図３は本実施例の特徴となる鈴９および１０の取付構造を説明するための要部斜視図である。なお、鈴９と鈴１０は同じ取付構造であり、このため鈴９の取付構造についてのみ説明し、鈴１０については省略する。前記景品球排出樋７の鈴取付面７ａには、所定高さを有する一文字状の台座部１１が形成されている。該台座部１１には嵌合凸部１２が形成されている。
【００１２】
前記嵌合凸部１２の形状は、図４に示すように断面がほぼＴ字形に形成され、かつ台座部１１と十字状をなすように設けられている。また、台座部１１の上面には嵌合凸部１２の上部と下部に位置するように半球状の小突起１３，１３が形成されている。一方、前記鈴９の底面中央部には嵌合凸部１２に嵌合し得る一文字状の開孔１４が設けられている。
【００１３】
前記嵌合凸部１２の下面はテーパー面１５，１５として形成されており、その端部は図６（イ）に示すように鈴９の開孔１４を嵌合凸部１２に嵌めてその底面を小突起１３，１３に当接させた状態で該鈴９の底面内側表面より若干外に突出位置するように形成されている。このように嵌合凸部の下面をテーパー面１５，１５として形成することによって、後述する鈴９の取付け時における鈴９の回動操作を容易に可能としている。また、テーパー面１５，１５の終端と台座部１１との間の距離Ｌは鈴９の肉厚とほぼ等しく形成されている。また、前記小突起１３，１３は図５（ロ）に示すように開孔１４の内周縁に接触する大きさに形成されている。
【００１４】
上記構成からなる本発明において、鈴９を鈴取付面７ａに取付けるには、まず図５（イ）および図６（イ），（ロ）に示すように鈴９の開孔１４を嵌合凸部１２に嵌めて該鈴９の底面を小突起１３，１３に当接し、然るのちに鈴９を９０度回動して図５（ロ）および図７（イ），（ロ）に示すように開孔１４を小突起１３，１３に嵌合位置させることによつて達せられる。これによって、鈴９は台座部１１と嵌合凸部１２のテーパー面１５，１５終端とによって前後方向のガタつきが押さえられ、また開孔１４と小突起１３，１３との嵌合により鈴９が上下方向に移動せず、かつ回動しないように定位置に支持される。
【００１５】
なお、前記台座部１１は、鈴９を取付けた場合に該鈴９を鈴取付面７ａから浮かせて音響効果を高めるためのものであり、鈴９の取付けには必ずしも必要とするものではない。従って、台座部１１を設けない場合には嵌合凸部１２および小突起１３，１３を鈴取付面７ａに直接形成すればよい。また、嵌合凸部１２および開孔１４の形状は図示の実施例に限定されることなく、例えば正面から見てＹ字形或いは十字形等であってもよい。
【００１６】
図８は他の実施例を示すもので、小突起１３，１３に垂直面１３ａ，１３ａを形成し、該垂直面１３ａ，１３ａに鈴９の開孔１４の縁部を当接させるようにしたものである。この実施例の場合、鈴の開孔１４を嵌合凸部１２に嵌めた状態で該鈴９を時計回り方向に回動して取付けることになる。そして、取付けた後は景品球が鈴９に激しく衝突して該鈴９に対して反時計回り方向へ回動する作用力が働いても開孔１４の縁部が小突起１３，１３の垂直面１３ａ，１３ａに当接してその回動を阻止することになる。従って、景品球の衝突によつて鈴９が回動し、その取付けが外れるというような事態を防止することができる。また、小突起１３，１３の形状としては、例えば図９に示すようにテーパー面を有する楔形としたものでもよい。
【００１７】
以上説明したように、本発明によれば、鈴取付面に嵌合凸部と小突起を形成し、鈴の底面中央部に設けた開孔を嵌合凸部に嵌めた後、鈴を回動して開孔と小突起とを嵌合させることによって鈴を取付けるようにしたものである。従って、鈴をビス止めすることなくワンタッチ操作で簡単に取付けることができ、鈴の交換作業が容易にできる。
【図面の簡単な説明】
【図１】本発明が適用されるパチンコ機の裏面図である。
【図２】鈴の取付け状態を示す斜視図である。
【図３】鈴を取外した状態の斜視図である。
【図４】鈴の取付部の要部拡大斜視図である。
【図５】（イ）は鈴の開孔を嵌合凸部に嵌めた状態の正面図、（ロ）は鈴を取付けた状態の正面図である。
【図６】（イ），（ロ）は鈴の底面を小突起に当接した状態を示す断面図である。
【図７】（イ），（ロ）は鈴を取付けた状態を示す断面図である。
【図８】小突起の他の実施例を示す斜視図である。
【図９】小突起のさらに他の実施例を示す斜視図である。
【図１０】従来技術の説明図である。
【符号の説明】
５              景品球払出装置
７              景品球排出樋
７ａ            鈴取付面
９，１０        鈴
１２            嵌合凸部
１３，１３      小突起
１３ａ，１３ａ  垂直面
１４            開孔
【図１】
0003678766.tif 000002
【図２】
0003678766.tif 000003
【図３】
0003678766.tif 000004
【図４】
0003678766.tif 000005
【図８】
0003678766.tif 000006
【図９】
0003678766.tif 000007
【図５】
0003678766.tif 000008
【図６】
0003678766.tif 000009
【図７】
0003678766.tif 000010
【図１０】
0003678766.tif 000011